(57)【要約】 【課題】  体温のみを利用して人体の内部から保温を促進させると共に、構成自体に自然な通気性を具有することで、不必要な発汗を抑えると共に、発汗による不快感ならびに不衛生感を解消し得る保温具を提供する。【解決手段】  片面に遠赤外線放射塗膜２を配備した布帛本体１と、この布帛本体１の上面に重合配備された蓄熱兼用弾性綿３とからなり、遠赤外線放射塗膜２は膠液と遠赤外線放射鉱石粉末が混和したものであることを特徴とする。【選択図】          図１
0003129170.tif 000002
【実用新案登録請求の範囲】
【請求項１】
片面に遠赤外線放射塗膜を配備した布帛本体と、この布帛本体の上面に重合配備された蓄熱兼用弾性綿とからなり、遠赤外線放射塗膜は膠液と遠赤外線鉱石粉末が混和したものであることを特徴とする保温具。
【請求項２】
遠赤外線放射塗膜を備えた布帛本体の上下面に、蓄熱兼用弾性綿を重合配備したことを特徴とする請求項１記載の保温具。
【請求項３】
遠赤外線放射塗膜を備えた布帛本体の上下面に蓄熱兼用弾性綿を重合した重合体の表面を、化粧表装布で被包したものであることを特徴とする請求項１記載の保温具。
【考案の詳細な説明】
【技術分野】
【０００１】
この考案は、例えば尻当て用クッション等の保温具に関する。
【背景技術】
【０００２】
尻当て、腰当て、首当て等の保温具の構造としては、通常はヒータを内蔵するタイプのもの、或いは面状発熱体（物質の酸化・還元による化学反応熱体）を配備するタイプのものが一般的である。
【０００３】
しかしながら、これらの構造を用いたクッション類や膝掛け、首当て等の保温具は、身体を素早く暖かくし得る利点を有する反面、身体以外の熱源による強制加熱であるため、必要以上に身体が熱くなりがちで、長時間の使用により低温火傷の虞れがある等、健康上、不都合のあることが知られている。
【０００４】
そこで、近年、ヒーターや面状発熱体など別途の熱源を使用せずに、使用者の体温のみを利用して十分な保温効果を得るマット、クッション等の保温具が提案されている。
【０００５】
例えば図３に示す保温具（保温シート）は、発泡ポリウレタン製シート状断熱層６５と、アルミニウム製シート状体温反射層６４と、ポリプロピレン製気泡性緩衝材層６３と、発泡ポリウレタン製シート状断熱層６２と、不織布製シート状
温感素材６１とからなり、各層が密着重合した５層構成としている。
【０００６】
この保温シートは、上記アルミシートの体温反射層により体温を反射させて人体に放熱すると共に、この反射熱が気泡性緩衝材層内の密封された空気室の温度を上昇させることで、保温効果を実現する。
【特許文献１】特許第３５８９６４３号公報
【考案の開示】
【考案が解決しようとする課題】
【０００７】
上記保温具は、別途特定の熱源を必要とせずに、体温の反射により保温状態を長時間安定して保持し得る利点を有する反面、この保温具では体温反射シートの表裏面に断熱材層を蓄層している。
【０００８】
従って、このマットの内部構成では、通気性がない。ために、必要以上に温度が上昇する結果、使用者の発汗が激しく不快な許かりでなく、汗が気化した水分の凝結により内部及び表面が湿気る。或いは汗で濡れる状態となるなど、ジトジトした湿潤感が極めて不快・不潔である等の不利がある。
【０００９】
この考案は、以上のような課題を解消させ、体温のみを利用して人体の内部から保温を促進させると共に、構成自体に自然な通気性を具有することで、不必要な発汗を抑え、発汗による不快感、不衛生感を解消し得る保温具を提供することを目的とする。
【課題を解決するための手段】
【００１０】
この目的を達成させるために、この考案の保温具では、次のような構成としている。
【００１１】
保温具は、片面に遠赤外線放射塗膜を配備した布帛本体と、この布帛本体の上面に重合された蓄熱兼用弾性綿とからなり、遠赤外線放射塗膜は膠液と遠赤外線放射鉱石粉末が混和したものであることを特徴としている。
【００１２】
この保温具、例えば遠赤外線放射塗膜を備える布帛本体と蓄熱兼用弾性綿との重合体を化粧布で表装した尻当てクッションの場合、このクッションに座ると、体温が遠赤外線放射塗膜を温める。これにより、遠赤外線放射塗膜（微粒状遠赤外線放射鉱石）から遠赤外線が放射される。
【００１３】
そして、この熱エネルギーが人体に吸収されると、皮下組織の奥深くへ浸透して、皮下深層組織の温度上昇を実現する。つまり、身体の中から（芯から) 温めるため、必要以上に高い温度となることもなく、不必要な発汗も生じない。
【００１４】
更に、布帛本体および蓄熱兼用弾性綿は勿論のこと、遠赤外線放射塗膜も膠液に遠赤外線放射鉱石粉末が混和したものであるから、保温具自体が通気性構造体である。
【００１５】
従って、この保温具では自然な通気性を有するから、保温効果が高いにもかかわらず使用者の発汗作用は極めて少なく、且つ発生した発汗は（蒸発した水分は）十分な通気性により外方へ逃がされる。
【考案の効果】
【００１６】
この考案では以上のように、片面に遠赤外線放射塗膜を設けた布帛本体と、布帛本体の上面に重合配備される蓄熱兼用弾性綿とから成り、遠赤外線放射塗膜は膠液と遠赤外線放射鉱石粉末とが混和したものとしたから、簡単な構成であり、別途の熱源を使用せずに良好な保温を実現し得る。
【００１７】
また、使用者の体温で遠赤外線放射塗膜から遠赤外線が放射され、人体皮下に吸収されることで、体の芯から均質に温められる。更に、保温具の構造自体に自然な通気性を具有しているから、不必要な加温による発汗は抑えられる。
【００１８】
更に、汗が蒸発した水分は自然な通気により内部にこもらず逃がされるから、不快な湿潤感が解消され、衛生的、健康的であるなど考案目的を達成した優れた効果を有する。
【考案を実施するための最良の形態】
【００１９】
以下、図面に基づき本考案に係る保温具の具体的な実施の形態を説明する。
図１は、保温具の一例である尻当て用クッションを示す斜視図である。
クッションは、片面に遠赤外線放射塗膜２を配備した布帛本体１と、布帛本体１の上下面に配備された蓄熱兼用弾性綿３、３ａと、表裏化粧外装布４、４ａとから構成されている。
【００２０】
布帛本体１は、通気性を有する織物、例えば天然繊維、合成繊維などが利用される。実施の形態では、木綿布を使用している。この木綿布１の上面に遠赤外線放射塗膜２を塗布（吹付け）形成している。この遠赤外線放射塗膜２は、遠赤外線放射鉱石の粉末を膠液に混和させたもので、本体１の片面に塗着してある。
【００２１】
前記遠赤外線放射鉱石の粉末は、黒鉛珪石、セラミック、マンタイト（特殊セラミック）、変性凝灰岩、黒点蛇紋岩、三仙石などが利用される。実施の形態では、分光放射率の高い（遠赤外線の放射量が大きい）黒鉛珪石のパウダーが使用されている。
【００２２】
この黒鉛珪石パウダーは、実施の形態のものでは、二酸化ケイ素（５１〜５３％）、酸化アルミニウム（３０〜３２％）、酸化カリウム（５〜８％）、酸化鉄（０．1 〜２％）、酸化マグネシウム( ０．１〜０．５％）の化学成分構成を有している。この鉱石パウダーが膠液に混和しており、膠液の粘性で木綿布１に塗布接着される。
【００２３】
また、上記膠原料としては、動物膠、魚膠（アイシングラス）が使用できるが、実施の形態では多量のコラーゲンを含み接着力の強い動物の真皮を膠原料とした膠液を使用している。
【００２４】
上記蓄熱兼用弾性綿３、３ａは、単繊維の強度が強い天然繊維綿（木綿綿、パンヤ綿、羊毛綿、絹綿）或いは、再生繊維綿（スフ綿）、半合成繊維綿（アセテート綿）、合成繊維綿（ナイロン綿、ポリエステル綿、ポリアクリルニトリル綿、ポリ塩化ビニル綿、ポリプロピレン綿）などが使用できる。
【００２５】
実施の形態では、軽く弾力性に富み引っ張りに強く、繊維が細いため含気量の多いポリエステル綿を使用している。所定厚みのポリエステル綿は、弾性、保温性並びに通気性とを備えている。
【００２６】
このように、片面に遠赤外線放射塗膜２を備えた木綿布１の上下面に、所定厚みの合成繊維綿３、３ａを重合した３層体の表面を通気性を有する化粧表装布４、４ａで被包している。
【００２７】
このような構成を有するシートクッション（尻当て）では、輻射される体温によって、遠赤外線放射塗膜２から遠赤外線が放射される。この遠赤外線エネルギーが人体の皮下深層組織に吸収される。
【００２８】
更に、この遠赤外線の波長と、人体から出す遠赤外線の波長が同じであるため、皮下組織内で分子の共鳴共振（運動）作用を起こして熱反応が生まれ、皮下深層組織の温度を上昇させる。この結果、微細血管が拡張し血液循環を促進すると共に、細胞を活性化させる。つまり、身体表面と共に身体の芯から温める。
【００２９】
また、遠赤外線の放射熱エネルギーによって、体温から伝達される熱が増幅される。そして、この増幅熱は蓄熱兼用弾性綿３、３ａによって蓄熱され、弾性綿３、３ａからの輻射熱によって長く保温状態が維持される。
【００３０】
かくして、この保温具（尻当てクッション）では、構成要素の全て、つまり表装布４・４ａ、遠赤外線放射塗膜２、布帛本体１、並びに蓄熱兼用弾性綿３、３ａが通気性を有している。
【００３１】
したがって、保温具自体が適度な透湿透気性能を具有しているから、長時間使用によっても発汗作用は抑えられる。更に、汗が蒸発した水分は自然な通気構造により外部へ逃がされるため、発汗に起因する湿潤感、不快感が解消される。
【００３２】
尚、実施の形態では、布帛本体１の上下面に蓄熱兼用弾性綿３、３ａを重合させた構造を示したが、蓄熱兼用弾性綿３は布帛本体１の上面（遠赤外線放射塗膜２の上面）のみに重合配備した構成のものであっても良い。
【００３３】
また、実施の形態では保温具の一例としてクッションを例示したが、本案はこれに限らず、腰周りを保温する腰当て、首の周囲を保温する肩当て等に同様の構成で実施し得る。
【図面の簡単な説明】
【００３４】
【図１】実施の形態の保温具を示す斜視図である。
【図２】実施の形態の保温具を示す要部拡大断面図である。
【図３】従来の保温具を示す拡大断面図である。
【符号の説明】
【００３５】
１      布帛本体
２      遠赤外線放射塗膜
３      蓄熱兼用弾性綿
４      化粧表装布  
【図１】
0003129170.tif 000003
【図２】
0003129170.tif 000004
【図３】
0003129170.tif 000005